(57)【要約】【課題】ラチェット機能を備えた名刺形工具箱を提供する。【解決手段】ラチェット輪は本体の先端部の付近と、第１側面の四分の一の隅角部の付近に設けられ、ラチェット輪の回転軸は本体の第１方向と平行されている。このような設計は、工具箱を最小の体積により、最も省力な回転効果を形成でき、壁の隅角部での回転作業が可能となる。壁部は先端部と受力部との間で一体型に成形されるものであり、本体の構造強度を有効に向上させることができ、壁部によって使用者の指に大面積の接触機能を提供し、使用者による回転力は工具箱に介して、有効かつ完全に締め具に伝達させ、２つの壁部は右利きまたは左利きの使用者に適用でき、方向の制限はなく、製品の適応能力を向上させることができる。【選択図】図４
0003164204.tif 000002
【実用新案登録請求の範囲】
【請求項１】
本体と、ラチェット機構と、格納マガジンとを含む、ラチェット機能を備えた名刺形工具箱であって、
前記本体の一端には先端部を形成し、前記先端部の一端に受力部を形成し、前記先端部と前記受力部は第１方向に沿って、互いに間隔を置いて分離され、前記本体の両側にそれぞれ第１側面と第２側面を形成し、前記第１側面と前記第２側面は第２方向に沿って互いに間隔を置いて分離され、前記本体はさらに一体型成形して、前記先端部と前記受力部との間に連結される２つの壁部を含み、２つの前記壁部は第３方向に沿って互いに間隔を置いて分離され、前記第１方向、前記第２方向と前記第３方向の三者は互いに垂直とされ、前記先端部に収容空間を設け、かつ２つの前記壁部の間に格納空間を形成し、前記格納空間は前記第２側面または前記受力部に開口部を開設し、
前記ラチェット機構は、前記本体の収容空間に結合される胴体と、ラチェット輪と、可逆装置とを備え、前記ラチェット輪は回転自在にて前記胴体に内設され、前記可逆装置は前記ラチェット輪を前記胴体内部において、時計方向の回転、逆時計方向の回転または回転させないように制御でき、前記ラチェット輪は回転軸を備え、前記回転軸を軸心として回転され、前記本体の前記先端部の付近と前記第１側面の付近の四分の一の隅角部に位置され、かつ前記ラチェット輪の回転軸は前記本体の第１方向と平行され、一端に前記回転軸に沿って延在する駆動溝が設けられ、スクリュードライバーの連結棒の回転を駆動し、
前記格納マガジンは、前記本体の前記開口部を介して前記格納空間に設けられるとともに、複数のスクリュードライバービットを格納できることを特徴とする、ラチェット機能を備えた名刺形工具箱。
【請求項２】
前記受力部には前記本体の前記第１方向に沿って延在するスロットを設け、前記スロットはスクリュードライバーの連結棒の挿入に備え、前記スロットと前記収容空間は互いに連絡され、かつ前記スロットは前記ラチェット輪の前記回転軸に沿って延在され、前記スロットは第１段と第２段とを備え、前記第１段は前記受力部と互いに連絡し開放状を形成され、前記第２段は前記収容空間と互いに連絡され、かつ前記第２段の内径は前記第１段の内径より小さいため、前記第１段はスクリュードライバーの連結棒の大きい径の部分の部分を収容でき、前記第２段はスクリュードライバーの連結棒の小さい径の部分を収容でき、前記スロットの前記第２段に輪状アレイの複数の突起部を設け、スクリュードライバーの連結棒の前記小さい径の部分を挟み込み、
前記ラチェット輪は前記駆動溝の一端において前記回転軸に延在する円形の収容溝を設けられ、前記収容溝の穴径は前記駆動溝の穴径より大きく、前記ラチェット輪の内部に係止部を形成し、前記ラチェット輪の前記係止部に貫通穴を開設し、前記貫通穴に磁石を固設し、前記貫通穴はスクリュードライバーの連結棒の局部を伸ばすことができ、前記磁石は前記駆動溝または前記収容溝に挿入されたスクリュードライバーの連結棒を吸着でき、
前記ラチェット機構の可逆装置は、弾性に前記ラチェット輪に歯合される２つの歯合素子を備え、前記ラチェット機構は切替えスイッチによって、２つの歯合素子と前記ラチェット輪との歯合関係を制御し、選択により、前記ラチェット輪を胴体内部において時計方向の回転、逆時計方向の回転または回転させない制御の効果を達成でき、
前記第１側面は前記先端部と前記受力部との間に連結され、前記第１側面と前記受力部との連絡場所に面取り部を形成し、
前記格納マガジンは前記本体の格納空間に延在する格納部と、前記格納空間の一端に設けられる外側部とを備え、前記格納マガジンの格納部にスクリュードライバービットを格納するための複数の締付固定溝を凹設し、前記外側部によって前記格納空間の前記開口部を閉鎖させ、前記複数の締付固定溝は前記本体の前記第１方向に沿って一列にして縦方向に配列され、前記本体の前記格納空間は、一列のみのスクリュードライバービットの空間を備えることで済み、前記格納マガジンに係合部を設け、前記本体に係合溝を設けられ、前記格納マガジンの前記係合部を前記本体の前記係合溝に係合させ、
前記本体は前記第１方向に沿って第１距離を、前記本体は前記第２方向に沿って第２距離を、前記本体は前記第３方向に沿って第３距離をそれぞれ定義し、前記本体の前記第３距離は前記第２距離より小さく、前記本体の前記第２距離は前記第１距離より小さく、前記本体の前記第２方向は前記回転軸を軸心として、第１半径と第２半径をそれぞれ定義し、前記第１半径は前記本体の前記第１側面と、前記回転軸が前記第２方向における距離であり、前記第２半径は前記本体の前記第１側面と前記回転軸が前記第２方向における距離であり、前記第１半径と前記第２半径を加えて、前記第２距離に等しく、
前記第２半径は前記第１半径より大きいため、前記工具箱回転時のモーメントアームが有効に増加され、最も省力で回転効果を発揮でき、前記第１半径は前記第３距離より小さいため、前記工具箱は前記の壁の隅角部で使用でき、前記第１半径は前記第３距離の二分の一より小さく、前記ラチェット輪の回転軸は前記本体の前記第３方向の中間部の平面に垂直する位置にあり、前記中間部の平面は前記第３距離を均等に２つに割ったものであり、前記２つの壁部は互いに均等に、前記回転軸の両側に維持されているため、前記工具箱の回転力を均一に分担することができることを特徴とする、請求項１に記載のラチェット機能を備えた名刺形工具箱。
【請求項３】
前記受力部には前記本体の前記第１方向に沿って延在するスロットを設け、前記スロットはスクリュードライバーの連結棒の挿入に備え、前記スロットと前記収容空間は互いに連絡され、かつ前記スロットは前記ラチェット輪の前記回転軸に沿って延在され、前記スロットは第１段と第２段とを備え、前記第１段は前記受力部と互いに連絡し開放状を形成し、前記第２段は前記収容空間と互いに連絡され、かつ前記第２段の内径は前記第１段の内径より小さいため、前記第１段はスクリュードライバーの連結棒の大きい径の部分の部分を収容でき、前記第２段はスクリュードライバーの連結棒の小さい径の部分を収容でき、前記スロットの前記第２段に輪状アレイの複数の突起部を設けられ、スクリュードライバーの連結棒の前記小さい径の部分を挟み込み、
前記胴体には円形の前記収容溝を設け、前記収容溝の穴径は前記駆動溝の穴径より大きく、前記収容溝はスクリュードライバーの連結棒の局部を伸ばすことができ、前記ラチェット輪の内部に係止部を形成し、前記ラチェット輪の前記係止部に前記貫通穴を開設し、前記貫通穴に磁石を固設し、前記磁石は前記駆動溝または前記収容溝に挿入されたスクリュードライバーの連結棒を吸着でき、
前記ラチェット機構の前記可逆装置は、弾性に前記ラチェット輪に歯合される２つの歯合素子を備え、前記ラチェット機構は切替えスイッチによって、２つの歯合素子と前記ラチェット輪との歯合関係を制御し、選択により、前記ラチェット輪を胴体内部において時計方向の回転、逆時計方向の回転または回転させないことを制御する効果を達成でき、前記第１側面は前記先端部と前記受力部との間に連結され、前記第１側面と前記受力部との連絡場所に面取り部を形成され、
前記格納マガジンは前記本体の格納空間向きに延在する格納部と、前記格納空間の一端に設けられる外側部とを備え、前記格納マガジンの格納部にスクリュードライバービットを格納するための複数の締付固定溝を凹設し、前記外側部によって前記格納空間の前記開口部を閉鎖させ、前記複数の締付固定溝は前記本体の前記第１方向に沿って一列にして縦方向に配列され、前記本体の前記格納空間は、一列のみのスクリュードライバービットの空間を備えることで済み、前記格納マガジンに係合部を設け、前記本体に係合溝を設け、前記格納マガジンの前記係合部を前記本体の前記係合溝に係合させ、
前記本体は前記第１方向に沿って第１距離を、前記本体は前記第２方向に沿って第２距離を、前記本体は前記第３方向に沿って第３距離をそれぞれ定義し、前記本体の前記第３距離は前記第２距離より小さく、前記本体の前記第２距離は前記第１距離より小さく、前記本体の前記第２方向は前記回転軸を軸心として、第１半径と第２半径をそれぞれ定義し、前記第１半径は前記本体の前記第１側面と、前記回転軸が前記第２方向における距離であり、前記第２半径は前記本体の前記第１側面と前記回転軸が前記第２方向における距離であり、前記第１半径と前記第２半径を加えて、前記第２距離に等しく、
前記第２半径は前記第１半径より大きいため、前記工具箱回転時のモーメントアームが有効に増加され、最も省力で回転効果を発揮でき、前記第１半径は前記第３距離より小さいため、前記工具箱は前記の壁の隅角部で使用でき、前記第１半径は前記第３距離の二分の一より小さく、前記ラチェット輪の回転軸は前記本体の前記第３方向の中間部の平面に垂直する位置にあり、前記中間部の平面は前記第３距離を均等に２つに割ったものであり、前記２つの壁部は互いに均等に、前記回転軸の両側に維持されているため、前記工具箱の回転力を均一に分担することができることを特徴とする、請求項１に記載のラチェット機能を備えた名刺形工具箱。
【考案の詳細な説明】
【技術分野】
【０００１】
本考案は一種のラチェット機能を備えた名刺形工具箱に関し、特に壁の隅角部での回転作業に適し、体積が小さく、かつ省力で回転効果を備える工具箱に関する。
【背景技術】
【０００２】
米国特許第６，２４３，９０２号 Ｔｏｏｌ  ｈａｎｄｌｅ  ｃｏｍｂｉｎａｔｉｏｎ（工具握りの組合せ）（特許文献１）において、一種の工具握りであって、前記工具握りの組合せは握りの本体（ｈａｎｄｌｅ  ｂｏｄｙ）の前端に駆動軸（ｄｒｉｖｉｎｇ  ｓｔｅｍ）を取付け、前記握りの本体に台座（ｂａｓｅ）を備え、前記台座の上方に蓋（ｃｏｖｅｒ）を設けている。前記台座と蓋内部の空間はスクリュードライバービット（ｂｉｔ）、ソケット（ｓｏｃｋｅｔ）その他工具（ｔｏｏｌ）の収容に用いる。
【０００３】
携行について、この種の工具握りの組合せは、駆動軸を握りの本体に設けており、分離不可能なため、工具握りの組合せは全体の長さを短くすることができず、携行不便の欠点がある。さらに、握りの本体の台座と蓋との間に物品が収容されているため、握りの本体の幅と高さがほぼ同じでとなり、握りの本体が矩形の棒状を形成し、幅または高さを軽減することはできない。前述のとおり、この種の工具握りの組合せを携帯製品にすることは適しない。
【０００４】
使用について、使用者の手が握りの本体に作用する力量は３種類に分かれる。第１種は駆動軸に沿って延長される力量であり、スクリュードライバービットがねじなどの工作物に伝える力量である。第２種は駆動軸の軸線を回転中心とする回転力量であり、たとえば、時計方向の回転力量である。第３種は第２種に類似するものであり、たとえば、逆時計方向の回転力量である。特許文献１の握りの本体の幅と高さがほぼ同じでのため、使用者に提供される力の半径が小さくなり、作業がやりにくい設計である。
【０００５】
さらに、蓋は使用者によって繰返し開けられる部品であり、蓋は力量の作用を有効に伝達することができない。使用者が大きいねじれ力量を加えると、蓋は台座に対して滑りまたは変形を引き起す。すなわち、台座と蓋との間で力量の伝達ロスが発生される。このように、使用者の使用が困難となり、操作の不便を与えてしまい、さらに、使用者の過大な力量により、握りの本体が破損する問題を引き起こす。
【０００６】
その後、米国特許第６，４０５，８６５号（特許文献２）工具箱とそのビットの収納装置（Ｔｏｏｌ  ｂｏｘ  ｗｉｔｈ  ｂｉｔｓ  ｒｅｃｅｉｖｅｄ  ｔｈｅｒｅｉｎ）によれば、スクリュードライバービットを収納する工具箱であって、前記工具箱は主に本体（ｂｏｄｙ）と本体外部に装入されるキャップ（ｃａｐ）を備え、前記本体に結合凹部（ｅｎｇａｇｉｎｇ  ｒｅｃｅｓｓ）を有し、前記結合凹部は選択により、長いビット（ｌｏｎｇ  ｂｉｔ）またはスクリュードライバービット（ｂｉｔ）に接続でき、前記本体の両側に未使用のスクリュードライバービットまたは長いビットを収納するため、複数の通路（ｐａｓｓａｇｅｓ）を設ける。
【０００７】
携行について、長いビットは結合凹部より取り外すことができるため、工具箱の長さは長いビットの長さに制限を受けない。さらに、本体の通路は結合凹部と垂直に本体の両側に貫通され、本体の外部にキャップを被せて、工具箱全体の幅を本体の両側に伸ばすことにより、工具箱の高さを軽減させ、工具箱はポケット形または名刺形の工具箱に類似する。
【０００８】
一方、使用について、キャップは使用者によって繰返し開けられる部品であり、キャップは力量の作用を有効に伝達することができない。使用者が大きいねじれ力量を加えると、キャップは本体に対して滑りまたは変形を引き起す。すなわち、本体とキャップとの間で力量の伝達ロスが発生される。このように、使用者の使用が困難となり、操作の不便を与えてしまい、さらに、使用者の過大な力量により、本体が破損する問題を引き起こす。
【０００９】
さらに、結合凹部は本体の中心部に設けられているため、この種の工具箱は壁の隅角部など狭い空間で使用することができず、使用面での大きな欠点となる。
【００１０】
引き続き、米国特許第７，０３２，４８３号（特許文献３）工具箱スクリュードライバー（Ｔｏｏｌｂｏｘ  ｓｃｒｅｗｄｒｉｖｅｒ）によれば、スクリュードライバー形の工具箱であって、前記工具箱は台座（ｂａｓｅ）と、前記台座の一辺に枢接される第１ブラケット（ｆｉｒｓｔ  ｂｒａｃｋｅｔ）と、前記台座もう一辺に枢接される第２ブラケット（ｓｅｃｏｎｄ  ｂｒａｃｋｅｔ）とを備える。前記第１ブラケットに複数のスクリュードライバーヘッド（ｓｃｒｅｗｄｒｉｖｅｒ  ｈｅａｄ）を収納でき、第２ブラケットに受入穴（ｒｅｃｅｐｔａｃｌｅ  ｈｏｌｅ）を設け、スクリュードライバーの連結棒（ｓｃｒｅｗｄｒｉｖｅｒ  ｒｏｄ）の挿入接続に備える。
【００１１】
携行について、スクリュードライバーの連結棒を第２ブラケットの内部に格納することができるため、工具箱の長さはスクリュードライバーの連結棒の長さより短いほか、工具箱の幅も台座の両側方向に延在しており、工具箱の高さも軽減され、工具箱はポケット形または名刺形の工具箱に類似する。
【００１２】
一方、使用について、第１ブラケットと第２ブラケットは両者とも使用者によって繰返して開放される部品であり、第１ブラケットまたは第２ブラケットは使用者の力量を有効に伝達することはできない。使用者が大きいねじれ力量を加えると、第１ブラケットまたは第２ブラケットは台座に対して滑りまたは変形を引き起す。すなわち、台座と２つのブラケットとの間で力量の伝達ロスが発生される。このように、使用者の使用が困難となり、操作の不便を与えてしまい、さらに、使用者の過大な力量により、本体が破損する問題を引き起こす。
【００１３】
さらに、第１ブラケットの受入穴は台座の一辺に隣接されているため、工具箱によって回転作業するとき、壁の隅角部などの狭い空間で使用することは可能だが、スクリュードライバーヘッドとねじとの分離および接触を繰り返さなければねじ回転効果を達成できない。よって、使用面での大きな欠点である。
【００１４】
このほか、受入穴に垂直な軸線の平面から見た台座では、受入穴と台座の周縁との距離はまちまちであり、特に、受入穴と台座四つの辺の距離もそれぞれ異なる。よって、前記工具箱は特定の空間でしか使用できない。
【先行技術文献】
【特許文献】
【００１５】
【特許文献１】米国特許第６，２４３，９０２号公報
【特許文献２】米国特許第６，４０５，８６５号公報
【特許文献３】米国特許第７，０３２，４８３号公報
【考案の概要】
【考案が解決しようとする課題】
【００１６】
本考案のラチェット機能を備えた名刺形工具箱で解決しようとする技術課題は、壁の隅角部での回転作業に適し、体積が小さく、かつ省力で回転効果を備える工具箱を提供することにある。
【課題を解決するための手段】
【００１７】
本考案のラチェット機能を備えた名刺形工具箱のラチェット輪は、本体の先端部近くと第１側面近くの四分の一の隅角部にあり、かつラチェット輪の回転軸を本体の第１方向に平行させる。このような設計により、工具箱を最小の体積でありながら、最も省力な回転効果を発揮し、壁の隅角部での回転作業ができる。
【００１８】
本考案のラチェット機能を備えた名刺形工具箱の壁部は一体型成形で先端部と受力部との間に取付け、本体の構造強度を有効に向上でき、壁部によって使用者の指との接触面積が大きくなり、使用者の回転力量は工具箱を介して、締め具へ有効、かつ全部に伝達することができる。前記２つの壁部とも右利きまたは左利きの使用者に適用しており、操作方向の制限はなく、製品の適用能力が向上する。
【００１９】
本考案のラチェット機能を備えた名刺形工具箱は、使用者が回転作業をするとき、スクリュードライバーの連結棒をラチェット輪の駆動溝に挿入すれば良い。使用者の作業が完了し、スクリュードライバーの連結棒を収納するときは、スクリュードライバーの連結棒をラチェット輪の駆動溝より抜き出して、スクリュードライバーの連結棒を１８０度に回して、スクリュードライバーの連結棒の小さい径の部分をスロットに合わせることで、スクリュードライバーの連結棒をスロットに格納して置き、携行を便利にする。収容溝は、スロットに挿入されるスクリュードライバーの連結棒の小さい径の局部を延在することができ、本体の第１距離を有効に短縮させ、本体の携行便利の効果を達成する。
【００２０】
本考案のラチェット機能を備えた名刺形工具箱の格納マガジンの格納部は、複数の締付固定溝が凹設され、複数のスクリュードライバービットの格納に備える。前記複数の締付固定溝は本体の第１方向に沿って、一列が縦方向に配列され、本体の格納空間は一列のみのスクリュードライバービットの空間を備えることで、本体の第３方向の第３距離を有効に短縮でき、工具箱の携行を便利にする。
【００２１】
本考案のラチェット機能を備えた名刺形工具箱は本体の第２方向は、回転軸を軸心として第１半径と第２半径を定義し、第１半径は本体の第１側面と回転軸が第２方向における距離であり、第２半径は本体の第２側面と回転軸が第２方向における距離である。第１半径と第２半径を加えて第２距離に等しく、かつ第２半径は第１半径より大きく、第１半径は第３距離Ｄ３より小さい。第２半径が第１半径より大きいため、工具箱が回転するときのモーメントアームを有効に増やし、最も省力で回転効果を発揮できる。さらに、第１半径は第３距離より小さいため、工具箱による回転作業は、壁の隅角部などの狭い空間で使用できる。このほか、ラチェット機構は異なる制御態様を使ってもよい。前記の技術特長に符合すれば、必要な効果を達成できる。
【図面の簡単な説明】
【００２２】
【図１】本考案のチェット機能を備えた名刺形工具箱の実施例１の立体外観図である。
【図２】本考案のチェット機能を備えた名刺形工具箱の実施例１の立体分解図である。
【図３】本考案のチェット機能を備えた名刺形工具箱のもう一つの視角による立体分解図である。
【図４】本考案のチェット機能を備えた名刺形工具箱が図１の４−４線に沿って切り取られた断面図である。
【図５】本考案のラチェット機能を備えた名刺形工具箱の端面図である。
【図６】本考案のラチェット機能を備えた名刺形工具箱の格納マガジンを開放し使用状態を示す図である。
【図７】本考案のラチェット機能を備えた名刺形工具箱を壁の隅角部のすぐとなりでの使用を示す態様図である。
【図８】本考案のラチェット機能を備えた名刺形工具箱にスクリュードライバーの連結棒が収納された態様図（その１）である。
【図９】本考案のラチェット機能を備えた名刺形工具箱にスクリュードライバーの連結棒が収納された態様図（その２）である。
【図１０】本考案のチェット機能を備えた名刺形工具箱の実施例２の断面態様図である。
【図１１】本考案のチェット機能を備えた名刺形工具箱の実施例３の立体分解図である。
【図１２】本考案のチェット機能を備えた名刺形工具箱実施例３もう一つの視角による立体分解図である。
【図１３】本考案のチェット機能を備えた名刺形工具箱の実施例３の断面態様図である。
【図１４】本考案のチェット機能を備えた名刺形工具箱の実施例３の格納マガジンの展開態様図である。
【考案を実施するための形態】
【実施例１】
【００２３】
図１ないし５、本考案のラチェット機能を備えた名刺形工具箱１０の実施例１を参照する。本考案の工具箱１０は本体２０と、ラチェット機構３０と、格納マガジン４０とを備える。
【００２４】
そのうち、本体２０はほぼ矩形を形成し、一端に先端部２１を形成され、本体２０は先端部２１の反対端に受力部２２を形成され、先端部２１と受力部２２は第１方向Ｘに沿って互いに間隔を置いて分離されている。本体２０の両側にそれぞれ第１側面２３と第２側面２４を形成され、第１側面２３と第２側面２４は先端部２１と受力部２２との間に位置され、かつ第１側面２３と第２側面２４は第２方向Ｙに沿って互いに間隔を置いて分離されている。本体２０はさらに先端部２１と受力部２２との間に一体型成形する２つの壁部２５を含み、２つの壁部２５は第３方向Ｚに沿って、互いに間隔を置いて分離されている。第１方向Ｘと第２方向Ｙは互いに垂直とされ、第３方向Ｚは第１方向Ｘと第２方向Ｙに垂直されている。つまり、第１方向Ｘ、第２方向Ｙと第３方向Ｚの三者は互いに垂直され、三次元方向を形成する。
【００２５】
本体２０の先端部２１に収容空間２１１を設けられている。本体２０の受力部２２は使用者の手のひらと親指と人指し指との間の谷間の部分の力量を受け持ち、作業の過程にねじなどの締め具９０（図７に示す）を締付対象物に圧迫することができる。受力部２２に本体２０の第１方向Ｘを沿って延在する階段状のスロット２２１を開けられ、スロット２２１はスクリュードライバーの連結棒８０の挿入に提供する。スロット２２１と収容空間２１１は互いに連絡されている。
【００２６】
スロット２２１は第１段２２２と第２段２２３とを備え、第１段２２２は受力部２２と互いに連絡し開放状を形成され、第２段２２３は収容空間２１１と互いに連絡され、かつ第２段２２３の内径は第１段２２２の内径より小さく、第１段２２２をスクリュードライバーの連結棒８０の大きい径の部分８１を収容でき、第２段２２３はスクリュードライバーの連結棒８０の小さい径の部分８２を収容できる。スロット２２１の第２段２２３に輪状アレイの複数の突起部２２４を内設され、スクリュードライバーの連結棒８０の小さい径の部分８２を挟み込む。本実施例において、突起部２２４は６つを設ける。スクリュードライバーの連結棒８０の六辺形の棒状の小さい径の部分８２を挟み込む。スロット２２１と収容空間２１１は互いに連絡されているため、スロット２２１はスクリュードライバーの連結棒８０の小さい径の部分８２の局部を収容空間２１１に伸ばすことができる。
【００２７】
本体２０の第１側面２３は円弧形の表面を有し、第１側面２３と受力部２２との連絡場所に面取り部２３１を形成され、受力部２２の縁部を第１側面２３に滑らかに接続され、使用者の親指と人指し指との間の谷間の部分をより快適に面取り部２３１に接触させる。
【００２８】
本体２０の壁部２５は先端部２１と受力部２２との間に一体型成形されているため、本体２０の構造強度を有効に向上できる。さらに、２つの壁部２５の間に格納空間２５１を形成され、格納空間２５１の第２側面２４または受力部２２に開口部を設けられている。本実施例において、格納空間２５１は本体２０の第２側面２４より開放された開口部２５２を備える。壁部２５によって使用者の指と大面積で接触し、使用者による回転力量は工具箱１０を介してそのまま締め具９０に伝達することができる。さらに、前記２つの壁部２５は互いに均等にいるため、右利きまたは左利きの使用者に適用しており、操作方向の制限はなく、製品の適用能力が向上する。
【００２９】
ラチェット機構３０は胴体３１と、回転自在に胴体３１に内設される中空状のラチェット輪３２と、ラチェット輪３２を胴体３１の内部において、時計方向の回転、逆時計方向の回転または回転させないように制御するための可逆装置３３とを含む。ラチェット機構３０の胴体３１は本体２０の収容空間２１１の内部に結合され、胴体３１を本体２０に対して回転できないように、収容空間２１１に固定させる。
【００３０】
ラチェット機構３０のラチェット輪３２は胴体３１内部に枢設され、ラチェット輪３２に回転軸Ｏを備え、ラチェット輪３２は回転軸Ｏを軸心として回転され、ラチェット輪３２の回転軸Ｏは本体２０の第１方向Ｘと平行されている。ラチェット輪３２の一端は回転軸Ｏに沿って延在する駆動溝３２１を設けられ、駆動溝２１の断面は非円形であり、スクリュードライバーの連結棒８０の回転を駆動する。本実施例において、ラチェット輪３２の駆動溝３２１は六辺形の穴状に形成され、六辺形のスクリュードライバーの連結棒８０に連結する。本実施例において、本体２０のスロット２２１はラチェット輪３２の回転軸Ｏに沿って延在されている。
【００３１】
ラチェット輪３２は駆動溝３２１の反対端に回転軸Ｏに沿って延在する円形の収容溝３２２を設けられ、収容溝３２２の穴径は駆動溝３２１の穴径より大きく、収容溝３２２はスロット２２１に挿入されたスクリュードライバーの連結棒８０の小さい径の部分８２の局部を挿入でき、本体２０の第１距離Ｄ１を有効に短縮させ、本体２０の携帯を便利にする。ラチェット輪３２の駆動溝３２１と収容溝３２２との間に係止部３２３が形成され、係止部３２３によってスクリュードライバーの連結棒８０の小さい径の部分８２を係止させ、スクリュードライバーの連結棒８０がラチェット輪３２をくぐることを防止して置く。ラチェット輪３２の係止部３２３に貫通穴３２４を開けられ、貫通穴３２４の内部に磁石３４を固設されている。磁石３４は駆動溝３２１または収容溝３２２に挿入されたスクリュードライバーの連結棒８０の小さい径の部分８２を吸着し、ラチェット輪３２とスクリュードライバーの連結棒８０との結合能力を向上できる。
【００３２】
ラチェット機構３０の可逆装置３３は弾性にラチェット輪３２に歯合される複数の歯合素子（図示しない）を備え、通常は２つの歯合素子を設ける。ラチェット機構３０は切替えスイッチ３３１によって、２つの歯合素子とラチェット輪３２との歯合関係を制御され、選択により、ラチェット輪３２を胴体３１内部において時計方向回転、逆時計方向回転または回転させない制御の効果を達成できる。本体２０は切替えスイッチ３３１の対向位置に露出部２１２を開けられ、切替えスイッチ３３１を本体２０の外部に露出して置き、使用者の操作に備える。本実施例において、ラチェット機構３０は回転式の切替えスイッチ３３１を使用している。
【００３３】
格納マガジン４０は本体２０の開口部２５２を介して格納空間２５１に設けられ、使用者の本体２０の、第２側面２４からの格納マガジン４０の取り出しに提供する。格納マガジン４０は本体２０の格納空間２５１を閉鎖することができる。格納マガジン４０に本体２０の格納空間２５１内部向きの格納部４１と、格納空間２５１の反対端に設ける外側部４２とを備え、外側部４２によって格納空間２５１の開口部２５２を閉鎖する。格納マガジン４０の格納部４１に複数の締付固定溝４３を凹設され、複数のスクリュードライバーの連結棒８３の取り付けに備える。前記複数の締付固定溝４３は本体２０の第１方向Ｘに沿って、一列を縦方向に配列され、本体２０の格納空間２５１は一列のみのスクリュードライバービット８３の空間を備えることで、本体２０の第３方向Ｚの第３距離Ｄ３を有効に縮小でき、工具箱１０の携行を便利にする。
【００３４】
格納マガジン４０の両端部において、それぞれ係合部４５を設けられ、本体２０は第２側面２４の先端部２１と受力部２２の付近場所にそれぞれ係合溝２２５を設けられ、格納マガジン４０の係合部４５を本体２０の係合溝２２５に係合させ、格納マガジン４０を本体２０の格納空間２５１に収納された後、本体２０から離脱することはない。
【００３５】
本体２０が第１方向Ｘに沿って、先端部２１と受力部２２との間の最大距離を第１距離Ｄ１に定義し、本体２０が第２方向Ｙに沿って第１側面２３と第２側面２４との間の最大距離を第２距離Ｄ２に定義し、本体２０が第３方向Ｚに沿って２つの壁部２５の間の最大距離を第３距離Ｄ３に定義する。本体２０の第３距離Ｄ３は第２距離Ｄ２より小さく、本体２０の第２距離Ｄ２は第１距離Ｄ１より小さい。これにより、本体２０は矩形体の外形を形成する。
【００３６】
本体２０の第２方向Ｙは回転軸Ｏを軸心として第１半径Ｒ１と第２半径Ｒ２を定義し、第１半径Ｒ１は本体２０の第１側面２３と回転軸Ｏが第２方向Ｙの距離であり、第２半径Ｒ２は本体２０の第２側面２４と回転軸Ｏが第２方向Ｙの距離である。第１半径Ｒ１と第２半径Ｒ２を加えて第２距離Ｄ２に等しく、かつ第２半径Ｒ２は第１半径Ｒ１より大きく、第１半径Ｒ１は第３距離Ｄ３より小さい。
【００３７】
第２半径Ｒ２が第１半径Ｒ１より大きいため、工具箱１０回転するときのモーメントアームを有効に増やし、最も省力で回転効果を発揮できる。さらに、第１半径Ｒ１は第３距離Ｄ３より小さいため、工具箱１０による回転作業は、壁の隅角部などの狭い空間で使用できる。好ましくは、第１半径Ｒ１を第３距離Ｄ３の二分の一より小さく設けることで、工具箱１０は壁の隅角部などの狭い空間で大きい角度の回転作業ができる。
【００３８】
ラチェット輪３２は本体２０が先端部２１の付近場所と第１側面２３付近場所の四分の一の隅角部にあることといえる。本体２０の四分の一の隅角部は、本体２０の第１距離Ｄ１が先端部２１寄りの二分の一と、第２距離Ｄ２が第１側面２３寄りの二分の一で重なる四分の一区域という。このような設計により、工具箱１０は最小の体積でありながら、最も省力な回転効果を発揮し、壁の隅角部での回転作業ができる。
【００３９】
ラチェット輪３２の回転軸Ｏは本体２０の第３方向Ｚの中間部の平面Ｐに垂直な位置にあり、中間部の平面Ｐは第３距離Ｄ３を均等に２つに割ったものである。つまり、ラチェット輪３２の回転軸Ｏは第３距離Ｄ３の中間部に位置させ、２つの壁部２５によって工具箱１０の回転力量を均一に分担することができる。前述２つの壁部２５は互いに均等に、回転軸Ｏの両側に維持されているため、工具箱１０を回転するときに、いずれの壁部２５も応力集中の問題が起きない。
【００４０】
図６、本考案の工具箱１０の格納マガジン４０の開放態様図を参照する。使用者が回転作業をするときに、スクリュードライバーの連結棒８０をラチェット輪３２の駆動溝３２１に挿入し、格納マガジン４０を開放する。このとき、弾性の係合部４５は係合溝２２５から離脱され、格納マガジン４０を本体２０より引き離し開放状態を形成し、使用者が必要なスクリュードライバービット８３を取り出せる。
【００４１】
図７、本考案の工具箱１０壁の隅角部９１のすぐとなりでの使用を示す態様図を参照する。使用者によってスクリュードライバービット８３がスクリュードライバーの連結棒８０に接続された後、壁の隅角部９１の締め具９０に対する回転作業ができる。受力部２２は使用者の手のひらと親指と人指し指との間の谷間の部分の力量を受け持ち、作業の過程でねじなどの締め具９０を締付対象物に圧迫することができる。
【００４２】
ラチェット輪３２は本体２０が先端部２１の付近場所と第１側面２３付近場所の四分の一の隅角部にあり、かつ第２半径Ｒ２は第１半径Ｒ１（図５に示す）より大きいため、壁部２５によって工具箱１０回転時のモーメントアームを有効に増加させ、最も省力で回転効果を発揮できる。このほか、第１半径Ｒ１は第３距離Ｄ３より小さいため、工具箱１０を回転するときに、第１側面２３を壁の隅角部９１のすぐとなりに寄り付けさせることができるため、工具箱１０を狭い空間で使用することができる。
【００４３】
図８と図９、本考案の工具箱１０にスクリュードライバーの連結棒８０を収納された態様図を参照する。使用者が作業を終了し、スクリュードライバーの連結棒８０を収納するとき、スクリュードライバーの連結棒８０をラチェット輪３２の駆動溝３２１より抜き出した後、スクリュードライバーの連結棒８０を逆時計方向に１８０度回転させ、スクリュードライバーの連結棒８０の小さい径の部分８２をスロット２２１に合わせることで、スクリュードライバーの連結棒８０をスロット２２１に収納することができる。
【００４４】
スロット２２１の第２段２２３に輪状アレイの複数の突起部２２４を内設され、スクリュードライバーの連結棒８０の小さい径の部分８２を挟み込む。ラチェット輪３２の収容溝３２２の穴径は駆動溝３２１の穴径より大きいため、収容溝３２２はスロット２２１に挿入されたスクリュードライバーの連結棒８０の小さい径の部分８２の局部を伸ばすことができる。本体２０の第１距離Ｄ１（図４に示す）を有効に短縮させ、本体２０の携帯を便利にする。
【実施例２】
【００４５】
図１０、本考案の工具箱１０の実施例２を参照する。本実施例は前述実施例とほぼ同じで、異なるところは、ラチェット機構３０の胴体３１に第２段２２３に連絡する円形の収容溝３１１が内設されており、収容溝３１１の穴径は駆動溝３２１の穴径より大きい。これにより、収容溝３１１はスロット２２１に挿入されたスクリュードライバーの連結棒８０の小さい径の部分８２の局部を伸ばすことができ、本体２０の第１距離Ｄ１を有効に短縮させ、本体２０の携帯を便利にする。
【実施例３】
【００４６】
図１１ないし１４、本考案の工具箱１０の実施例３を参照する。本実施例は前述実施例とほぼ同じで、ラチェット機構３０Ａの形態が異なり、本実施例においてラチェット機構３０Ａは軸方向プッシュ式の切替えスイッチ３３１Ａが使用されている。前述のとおり、どんな形態のラチェット機構３０Ａと組合せても、前述技術手段より構成される技術特徴を使用すれば、すべて同じ効果を達成できるため、それらも本考案の請求範囲に含むものとする。
【００４７】
本実施例と前述実施例１と第２の異なる点は、格納空間２５１Ａは本体２０の受力部２２より開放され、かつ開口部２５２Ａを備えている。格納マガジン４０Ａは本体２０の開口部２５２Ａを介して格納空間２５１Ａに設けられ、使用者が本体２０の受力部２２より格納マガジン４０Ａの取り出しに提供する。格納マガジン４０Ａは本体２０の格納空間２５１Ａを閉鎖することができる。格納マガジン４０Ａに本体２０の格納空間２５１Ａ内部向きの格納部４１Ａと格納空間２５１Ａの反対端に設ける外側部４２Ａを備え、外側部４２Ａによって格納空間２５１Ａの開口部２５２Ａを閉鎖する。格納マガジン４０Ａの格納部４１Ａに複数の締付固定溝４３Ａを凹設し、複数のスクリュードライバーの連結棒８３の取り付けに備える。前記複数の締付固定溝４３Ａは本体２０Ａの第１方向Ｘに沿って、一列を縦方向に配列され、本体２０の格納空間２５１Ａは一列のみのスクリュードライバービット８３の空間を備えることで、本体２０の第３方向Ｚの第３距離Ｄ３を有効に縮小でき、工具箱１０の携行を便利にする。
【００４８】
格納マガジン４０Ａの両端部に、それぞれ係合部４５Ａを設けられ、本体２０に備える２つの壁部２５は受力部２２の付近場所に、それぞれ係合溝２２５Ａを設けられ、格納マガジン４０Ａの係合部４５を本体２０の係合溝２２５Ａに係合させ、格納マガジン４０を本体２０の格納空間２５１Ａに収納された後に、本体２０から離脱することはない。
【符号の説明】
【００４９】
１０      工具箱
２０      本体
２１      先端部
２１１    収容空間
２１２    露出部
２１２Ａ  露出部
２２      受力部
２２１    スロット
２２２    第１段
２２３    第２段
２２４    突起部
２２５    係合溝
２２５Ａ  係合溝
２３      第１側面
２３１    面取り部
２４      第２側面
２５      壁部
２５１    格納空間
２５２    開口部
２５１Ａ  格納空間
２５２Ａ  開口部
３０      ラチェット構造
３１      胴体
３１１    収容溝
３２      ラチェット輪
３２１    駆動溝
３２２    収容溝
３２３    係止部
３２４    貫通穴
３３      可逆装置
３３１    切替えスイッチ
３４      磁石
３０Ａ    ラチェット構造
３１Ａ    胴体
３２Ａ    ラチェット輪
３２１Ａ  駆動溝
３３Ａ    可逆装置
３３１Ａ  切替えスイッチ
４０      格納マガジン
４１      格納部
４２      外側部
４３      締付固定溝
４５      係合部
４０Ａ    格納マガジン
４１Ａ    格納部
４２Ａ    外側部
４３Ａ    締付固定溝
４５Ａ    係合部
８０      スクリュースクリュードライバーの連結棒
８１      大きい径の部分
８２      小さい径の部分
８３      スクリュードライバービット
９０      締め具
９１      壁の隅角部
Ｘ        第１方向
Ｙ        第２方向
Ｚ        第３方向
Ｄ１      第１距離
Ｄ２      第２距離
Ｄ３      第３距離
Ｒ１      第１半径
Ｒ２      第２半径
Ｏ        回転軸
Ｐ        中間部の平面
【図１】
0003164204.tif 000003
【図２】
0003164204.tif 000004
【図３】
0003164204.tif 000005
【図４】
0003164204.tif 000006
【図５】
0003164204.tif 000007
【図６】
0003164204.tif 000008
【図７】
0003164204.tif 000009
【図８】
0003164204.tif 000010
【図９】
0003164204.tif 000011
【図１０】
0003164204.tif 000012
【図１１】
0003164204.tif 000013
【図１２】
0003164204.tif 000014
【図１３】
0003164204.tif 000015
【図１４】
0003164204.tif 000016